(57)【要約】      （修正有）【課題】個人宅における私的保管庫としてのみならず、宿泊施設あるいは着替え用ロッカー設備等における業務用貴重品保管庫としても使用できる容易かつ手軽な錠前付きハンガー型貴重品保管庫を提供する。【解決手段】ハンガー型貴重品保管庫は洋服の上着を着せ掛けられる連接分離自在の底板を有するハンガー状保管箱部３と蝶番によって自在に開閉できる錠前９の付いた蓋部５ｂを有する錠前付保管箱部とを、逆Ｕ字状吊下金具２を貫通させナット８等固定具によって自在に連結分離できるように構成する。【選択図】図５
0003196027.tif 000002
【実用新案登録請求の範囲】
【請求項１】
架設された洋服ハンガー吊下棒に揺動自在に吊下げる錠前付き貴重品保管庫において、ハンガー状保管箱部と別途連設した箱状保管庫部が、該洋服ハンガー吊下棒に吊下げる逆Ｕ字状フック金具によって連結解放自在に結束され、該箱状保管庫部には軸着した開閉自在の蓋板に錠前を設けてなることを特徴とするハンガー型貴重品保管庫。
【考案の詳細な説明】
【考案の詳細な説明】
【技術分野】
【０００１】  本考案は、洋服ダンスやクローク等に架設された吊下棒にフック金具によって係脱自在に締結された山形形状の洋服ハンガー状保管庫部と錠前付き保管庫部からなる分割型貴重品保管庫であり、貴重品を安全に保管でき且つ保管庫自体に洋服を掛けることもできるハンガー状貴重品保管庫に関するものである。
【背景技術】
【０００２】  従来、金属製、樹脂製、木製等の通常の洋服掛けに布や樹脂シートによって構成された収納バッグ等を取り付けた、物品収納具付きハンガ−や、洋服ダンスの吊下棒に金属製の錠前付き箱を吊り下げフック金具で懸垂締結させる保管庫等が知られている。しかしながら上記の物品収納具付きハンガーは、主として私用者が自宅であるいは鍵のかかる自室で洋服を脱いだ時に携帯している身の回り品を一時的に収納しておくための仮置きポケットであり、不特定多数の人が出入りできる場所での使用を想定されておらず防犯上有効なものでは無い。また吊り下げ棒に懸垂締結させる保管箱は、多数の洋服の中に紛れ込ませる状態を想定したものであり、必ずしも常に使用条件を充たせる訳では無い。また上記の保管箱は極めて簡単な単層箱であり、防犯上簡易に過ぎるという問題点を有する。
【先行技術文献】
【特許文献】
【０００３】
【特許文献１】特開２００１−１１２６０４号公報
【考案の概要】
【考案が解決しようとする課題】
【０００４】  本考案の目的はこのような従来型の難点を解消するものであり、すなわち保管庫自体がハンガーとして機能するため、洋服を掛けた場合、一見して保管庫であるかどうか判断できない形状を持つ事、また本体が強靱な素材で構成された防刃機能を有する事、又保管庫内部が二層構造となっていて必要に応じて使い分けができる事等使用者の使用条件を考慮した構造を有し、個人使用のみならず、ホテル、旅館等の宿泊施設のための業務用貴重品保管庫としても使用できる錠前付き保管庫を提供することにある。
【課題を解決するための手段】
【０００５】  請求項１に記載の考案によれば、本ハンガー型貴重品保管庫は洋服の上着を掛けられる連接分離自在の底板を有するハンガー状保管箱部と、蝶番によって自在に開閉できる錠前の付いた蓋部がある錠前付保管箱部とを、逆Ｕ字状吊下金具を貫通させナット等固定具によって自在に連結分離できるように構成することにより、課題を解決している。【０００６】  すなわち本ハンガー型貴重品保管庫は、既設の洋服ハンガー用吊下棒に懸垂締結されて使用に供されている場合、箱状保管庫部５．の蓋部５ｂ．の錠前９．を鍵によって開錠し、貴重品を箱状保管庫５．内部に収納したのちに蓋部５ｂ．を閉じ施錠することにより貴重品は保管庫ごと洋服ハンガー用吊下棒に懸垂締結された状態で保管された状態となる。そのうえハンガー状保管庫３．に洋服の上着を着せ掛けることにより保管庫部分は全て洋服に隠されるので外見上露見し難い状態を保つことができる。【０００７】    更に安全を期する場合には、箱状保管庫部５．の蓋部５ｂ．の錠前９．を鍵によって開錠開扉した状態で、箱状保管庫５．内部に締結してあるナット８．、８．‘を解放すると箱状保管庫５．のみならずハンガー状保管庫部３．も吊下フック部２．から解放されるので、貴重品をハンガー状保管庫部３．内部に収納してから底板部４を閉鎖したのち、箱状保管庫部５．を元の状態に戻してナット８．、８．‘を吊下フック部２．に連結締結したうえで蓋部５ｂ．を閉じ施錠することにより貴重品はハンガー状保管庫部３．内部に収納されて洋服ハンガー用吊下棒に懸垂締結された状態で保管された状態となる。従って万一、何らかの事情により箱状保管庫部５．の蓋部５ｂ．が解錠されても見掛け上は箱状保管庫部５．内部は空であるから、更に貴重品が露見し難い状態が保たれることを特徴としている。
【考案の効果】
【０００８】    上述のように本考案のハンガー型貴重品保管庫は、施錠できる開閉蓋部を有する箱状保管庫のみならず該箱状保管庫に着脱可能なハンガー状保管庫が連接されてなる２層構造を持つ保管庫であり、これら２層の保管庫が吊り下げ用のフック金具によって係脱自在に締結されて、例えば架設された洋服ハンガー棒等に揺動自在に締結されている状態で使用するものである。旅館やホテル等で同室に複数の旅客が宿泊する場合、複数の本保管庫が架設ハンガーに設置してあれば個々人が各々の施錠保管庫を有する事になり防犯上あるいはプライバシー保護の観点から極めて有効かつ簡便な手段となり得るものである。また個人宅における私的な使用にあっては、特に秘匿したいものはハンガー状保管庫内に収納した上で吊下フックのボルトを締結すれば、施錠忘れや万が一の事故の場合でも保管物を保護できるものである。更に本保管庫のハンガー部分に洋服の上着を着せ掛け、同じハンガー棒に吊り下げた多数の洋服群の中に本保管庫が並置してある場合には外見上見分けが付き難く、防犯上あるいはプライバシー保護の観点からも簡便かつ極めて効果的である。
【実施例】
【０００９】    以下、添付図面に従って一実施例を説明する。［第１図］によって説明すると本図は全部品を組立てて締結し、箱状保管庫５．の蓋部５ｂ．を閉じて施錠した状態を示す、実施例の組立て状態を示す正面図である。【００１０】    ［第２図］によって説明すると、本図は［第１図］の平面図である。【００１１】    ［第３図］によって説明すると、本図は［第１図］における左側面図である。【００１２】    ［第４図］によって説明すると、本図は［第３図］における洋服ハンガー吊下棒に吊下フック部２．を通して揺動自在に吊下げ締結し、蓋部５ｂ．を半開にした状態における中央断面図である。【００１３】    ［第５図］によって説明すると、本図は［第１図］の構造分解図である。蓋部５ｂ．を全開した状態での構成部品を載置順に並べたものである。
【図面の簡単な説明】
【００１４】
【図１】本考案の貴重品保管庫の実施例の使用状態を示す正面図である。
【図２】本装置の平面図である。
【図３】本装置の側面図である。
【図４】［図１］の中央縦断面を示す側断面図である。
【図５】［図１］に基づく開蓋状態を示す構造分解図である。
【符号の説明】
【００１５】１    「ハンガー型貴重品保管庫」本体
２    吊下げフック部
２ａ  ストッパ座金
２ｂ  螺設部
３    ハンガー状保管庫部
３ａ、３ａ’  開孔部
４    底板部
４ａ、４ａ’  開孔部
５    箱状保管庫部
５ａ、５ａ’  開孔部
５ｂ  蓋部
５ｃ  蝶番
５ｄ  係止孔
６    座金
７    スプリングワッシャ
８    ナット
９    錠前
１０  回転係止板
【図１】
0003196027.tif 000003
【図２】
0003196027.tif 000004
【図３】
0003196027.tif 000005
【図４】
0003196027.tif 000006
【図５】
0003196027.tif 000007